(57)【特許請求の範囲】
【請求項１】
表示パネルを有する表示装置本体と、
前記表示パネル全体を覆うカバーとからなる表示装置であって、
前記カバーは、前記表示パネルと向き合う面に光センサを有し、
前記表示装置本体は、前記表示パネルの表示状態を校正する画面校正機能部を有し、
前記光センサは、前記カバーで前記表示パネルを覆った状態で、前記表示パネルの画面状態を計測し、
当該光センサの計測値を前記表示装置本体に送り、前記画面校正機能部は前記表示パネルの表示状態を校正することを特徴とする表示装置。
【請求項２】
前記カバーは、複数のカバー片により構成されることを特徴とする請求項1に記載の表示装置。
【請求項３】
前記画面校正機能部は、設定されたタイムスケジュールに従って、画面校正処理を実行することを特徴とする請求項１または請求項2に記載の表示装置。
【請求項４】
前記カバーは、剛性を有する材質を含むか又は前記カバーと前記表示パネルの表示面との間にスペーサを含み、前記カバーを前記表示パネルに固定することを特徴とする請求項１から請求項３のうちいずれか１項に記載の表示装置。
【請求項５】
前記カバーは、マグネットにより前記表示パネルに固定することを特徴とする請求項４に記載の表示装置。
【請求項６】
前記カバーは、面ファスナーにより前記表示パネルに固定することを特徴とする請求項４に記載の表示装置。
【請求項７】
前記光センサは、前記カバーの前記表示パネルと向き合う面の略中央に配置されることを特徴とする請求項１または請求項2に記載の表示装置。
【請求項８】
前記光センサは、前記カバーの前記表示パネルと向き合う面に複数配置されることを特徴とする請求項１または請求項2に記載の表示装置。
【請求項９】
前記カバーから引き出されるコネクタを有し、
前記コネクタは前記表示装置本体に接続され、前記光センサと前記表示装置本体とで、有線で信号を入出力することを特徴とする請求項１または請求項２に記載の表示装置。
【請求項１０】
前記カバーと前記表示装置本体との間で、非接触通信で信号を入出力することを特徴とする請求項１または請求項２に記載の表示装置。
【請求項１１】
前記カバーと前記表示装置本体との間で、光通信で信号を入出力することを特徴とする請求項１または請求項２に記載の表示装置。
【請求項１２】
表示パネルを有する表示装置の表示状態の校正方法であって、
カバーにより前記表示パネル全体を覆い、
前記カバーの前記表示パネルと向き合う面に設けられた光センサにより前記表示パネルの画面状態を計測し、
前記光センサで計測した値を前記表示装置に送り、前記表示パネルの表示状態を校正することを特徴とする表示装置の表示状態の校正方法。
【発明の詳細な説明】
【技術分野】
【０００１】
本発明は、表示装置、及び表示装置の表示状態の校正方法に関する。
【背景技術】
【０００２】
液晶や有機ＥＬ（Electro Luminescence）など表示デバイスは、高精細化・高色域化・高輝度化が進み、これらを用いた高付加価値モニタは、写真や印刷をはじめとする産業に広く利用されている。表示デバイスは光源や液晶などの状態が経年劣化するため、その表示品質を維持管理することが求められている。表示状態維持のため、計測機器を用いたり、装置に光センサを内蔵して、所望の輝度や色度に再調節する、いわゆるモニタの校正作業を行っている（例えば特許文献１、特許文献２、特許文献３）。【０００３】
モニタ表示の校正作業を行うには、モニタから発する光を外光を含まないようにしてモニタの画面中央で計測する必要がある。そのため、非接触型計測機器を利用する場合には、外光遮光のために暗室を用意する必要がある。しかしながら、暗室のような大掛かりな計測環境を整えることは困難な場合が多い。そこで、一般には、遮光物を備えた計測プローブを画面中央に配して、モニタが発する光を計測している。この場合、画面中央のプローブは、人の手で保持するか、三脚で固定する方法がある。しかしながら、人の手や三脚でプローブを保持する作業は煩雑である。また画面中央に計測器（センサ）やプローブが配置されることにより、本来のモニタ使用が妨げられてしまうという課題がある。
【先行技術文献】
【特許文献】
【０００４】
【特許文献１】米国特許第７３９１５１４号明細書
【特許文献２】国際公開ＷＯ１３／１７９３７０号パンフレット
【特許文献３】特開２０１１−２２２２６号公報
【発明の概要】
【発明が解決しようとする課題】
【０００５】
上述のように、モニタの校正作業を行う場合には、遮光物を備えた計測プローブを画面中央へ配置することが必要であり、プローブは、人の手で保持するか、又は三脚で固定する方法がとられている。このような煩雑さを解消するため、特許文献１のように、光センサを吊るす方法が提案されている。【０００６】
しかしながら、この方法はモニタ使用を中断し、センサを設置して校正作業を行う必要があるだけでなく、センサと表示面が離れているため外光の影響を受け、且つセンサが固定されていないため下向きのチルトでは表示面とセンサの角度を正対させることが困難である。【０００７】
一方、特許文献２のように遮光物を備えたセンサ（フロントセンサ）を画面内に配置する方法が提案されている。この方法によればモニタの姿勢変化によらず計測が可能になる。【０００８】
しかしながら、この方法では、センサ部が画面表示を隠してしまうため、その面積を小さくすべく、光センサと遮光物が近接し、且つ遮光物の幅は狭くせざるを得ない。侵入する外光は、直接光や表面反射光のみならず、パネル面から侵入し、内部で反射して侵入する外光もある。遮光物の幅を狭くすると、パネル面から侵入し、内部で反射して侵入する外光の影響を受けやすくなる。【０００９】
特許文献３も特許文献２と同様に、モニタの姿勢変化には追従できるものの、遮光フードを狭くすると、パネル面から侵入し、内部で反射して侵入する外光の影響を受けやすくなる。特許文献３では、遮光については、センサ周囲に配置した遮光フードを広く取るのが良いとの記述はあるものの、具体的な広さの明示は無い。【００１０】
このように、特許文献２や特許文献３では、センサ周囲を部分的に遮光する形態であって、十分な外光遮光ができるものではない。また、特許文献２や特許文献３は画面端部に近い位置を計測し、画面中央との相関値を予め記憶し、経年劣化によって画面中央部の輝度や色を予測する方法であるため、定期的にパネルのムラ変化に伴う中央との再相関が必要である。【００１１】
上述の課題を鑑み、本発明は、モニタの姿勢変化によらず、且つ外光影響無く、モニタの画面を校正できる表示装置、及び表示装置の表示状態の校正方法を提供することを目的とする。
【課題を解決するための手段】
【００１２】
上述の課題を解決するために、本発明の一態様に係る表示装置は、表示パネルを有する表示装置本体と、前記表示パネル全体を覆うカバーとからなる表示装置であって、前記カバーは、前記表示パネルと向き合う面に光センサを有し、前記表示装置本体は、前記表示パネルの表示状態を校正する画面校正機能部を有し、前記光センサは、前記カバーで前記表示パネルを覆った状態で、前記表示パネルの画面状態を計測し、当該光センサの計測値を前記表示装置本体に送り、前記画面校正機能部は前記表示パネルの表示状態を校正することを特徴とする。
【００１３】
本発明の一態様に係る表示装置の表示状態の校正方法は、表示パネルを有する表示装置の表示状態の校正方法であって、カバーにより前記表示パネル全体を覆い、前記カバーの前記表示パネルと向き合う面に設けられた光センサにより前記表示パネルの画面状態を計測し、前記光センサで計測した値を前記表示装置に送り、前記表示パネルの表示状態を校正することを特徴とする。
【発明の効果】
【００１４】
本発明によれば、カバーの内側に光センサを設け、この光センサを有するカバーを表示パネルに密着させ、この光センサの検出信号を用いてモニタの画面を校正している。これにより、モニタの姿勢変化によらず、且つ外光影響無い状態で、モニタの画面を校正できる。
【図面の簡単な説明】
【００１５】
【図１Ａ】本発明の第１の実施形態に係る表示装置の外観構成を示す斜視図である。
【図１Ｂ】本発明の第１の実施形態に係る表示装置の外観構成を示す斜視図である。
【図２】本発明の第１の実施形態に係る表示装置におけるカバーの内側の構成を示す平面図である。
【図３Ａ】本発明の第１の実施形態に係る表示装置におけるカバー片の一例の説明に用いる平面図である。
【図３Ｂ】本発明の第１の実施形態に係る表示装置におけるカバー片の一例の説明に用いる断面図である。
【図４Ａ】本発明の第１の実施形態に係る表示装置におけるカバー片の他の例説明に用いる平面図である。
【図４Ｂ】本発明の第１の実施形態に係る表示装置におけるカバー片の他の例説明に用いる断面図である。
【図５】本発明の第１の実施形態に係る表示装置本体の内部構成を示すブロック図である。
【図６】本発明の第２の実施形態に係る表示装置のカバーの内側の構成を示す平面図である。
【図７】本発明の第２の実施形態に係る表示装置本体の内部構成を示すブロック図である。
【図８】本発明の第３の実施形態に係る表示装置のカバーの内側の構成を示す平面図である。
【図９】本発明の第３の実施形態に係る表示装置本体の背面構成を示す斜視図である。
【図１０】本発明の第４の実施形態に係る表示装置のカバーの内側の構成を示す平面図である。
【図１１】本発明の第４の実施形態に係る表示装置本体の前面の構成を示す斜視図である。
【図１２】本発明の第４の実施形態に係る表示装置本体の内部構成を示すブロック図である。
【図１３】本発明の第５の実施形態に係る表示装置のカバーの内側の構成を示す平面図である。
【図１４Ａ】本発明の第５の実施形態に係る表示装置本体の斜視図である。
【図１４Ｂ】本発明の第５の実施形態に係る表示装置本体の斜視図である。
【図１５Ａ】本発明の第５の実施形態に係る表示装置におけるカバー片の一例の説明に用いる平面図である。
【図１５Ｂ】本発明の第５の実施形態に係る表示装置におけるカバー片の一例の説明に用いる断面図である。
【図１６Ａ】本発明の第５の実施形態に係る表示装置における表示装置本体とカバーとの取り付けの他の例の説明図である。
【図１６Ｂ】本発明の第５の実施形態に係る表示装置における表示装置本体とカバーとの取り付けの他の例の説明図である。
【図１６Ｃ】本発明の第５の実施形態に係る表示装置における表示装置本体とカバーとの取り付けの他の例の説明図である。
【図１７Ａ】本発明の第６の実施形態に係る表示装置の外観構成を示す斜視図である。
【図１７Ｂ】本発明の第６の実施形態に係る表示装置の外観構成を示す斜視図である。
【図１８】本発明による表示装置の基本構成を示す概略ブロック図である。
【発明を実施するための形態】
【００１６】
以下、本発明の実施の形態について図面を参照しながら説明する。
＜第１の実施形態＞
図１Ａ及び図１Ｂは、本発明の第１の実施形態に係る表示装置の外観構成を示す斜視図である。図１Ａは、モニタ使用時の状態を示し、図１Ｂはモニタ不使用時の状態を示している。
【００１７】
図１Ａに示すように、本発明の第１の実施形態に係る表示装置は、表示装置本体１０と、表示装置本体１０に取り付ける遮光用のカバー２０とを備えている。
【００１８】
表示装置本体１０は、表示パネル１１を有している。また、表示装置本体１０は、表示パネル１１の表示状態を校正する画面校正機能を有している。表示パネル１１は、例えばＬＣＤ（Liquid Crystal Display）パネルである。また、表示装置本体１０には、表示操作・入力部１６が配設されている。表示操作・入力部１６の操作により、後に説明するように、モニタの輝度校正を行う時間等を設定することができる。なお、この操作は、リモコン（図示せず）で行うようにしても良い。また、表示装置本体１０のベゼル１２には、表示パネル１１の左右の辺及び下辺を囲むように、マグネット吸着材料１３が配設される。表示装置本体１０の上縁には、カバー２０が取り付けられる。マグネット吸着材料１３は、磁石に付く材料であれば何でも良い。
【００１９】
カバー２０は、折り畳み自在になっており、図１Ａに示すように、モニタ使用時には、折り畳まれて、表示装置本体１０の背面の上部に配置される。図１Ｂに示すように、モニタ不使用時には、表示パネル１１の表示面を覆うように、カバー２０が広げられて配置される。
【００２０】
図２は、カバー２０の内側の構成を示す平面図である。図２に示すように、カバー２０は、３枚のカバー片２１ａ、２１ｂ、２１ｃを、折曲部２２ａ、２２ｂを介して、連結した構造となっている。カバー片２１ａ、２１ｂ、２１ｃとして用いる遮光部材としては、外光を遮光する材料（ＪＩＳ  Ｌ  １０５５  暗幕カーテンの遮光性試験にて遮光率９９．９９％以上）を用いることが望ましい。また、３枚のカバー片２１ａ、２１ｂ、２１ｃの内側には、マグネット（永久磁石）２６が配設される。マグネット２６の取り付け位置は、表示装置本体１０のベゼル１２のマグネット吸着材料１３（図１Ａ）の位置と対応している。また、カバー２０の上部には、折曲部２２ｃ及び２２ｄを介して、取付片２５ａ及び２５ｂが設けられる。取付片２５ａは、表示装置本体１０の上縁と固定する部分であり、取付片２５ｂは、表示装置本体１０の背面と固定する部分である。また、３つのカバー片２１ａ、２１ｂ、２１ｃのうち、その中央のカバー片２１ｂには、その内側の中央に、光センサ３０が配置される。
【００２１】
図３Ａは、カバー片２１ｂの内側（表示パネル１１の表示面と対向する面）の構成を示し、図３ＢはそのＡ−Ａ’断面図である。図３Ａ及び図３Ｂに示すように、光センサ３０は、基板３１上に配設される。基板３１には、光センサ３０を駆動するための回路が実装されている。また、基板３１からは、配線３２が導出される。配線３２の先端には、コネクタ４０（図１Ｂ）が取り付けられる。そして、各カバー片２１ｂには、樹脂や鉄板等の剛性維持材料２３が内設される。このように、本実施形態では、カバー２０は、鉄板などの剛性維持材料２３を含んでいる。このため、光センサ３０の位置と表示パネル１１の位置が安定して保たれる。
【００２２】
なお、図３Ａ及び図３Ｂに示したように、カバー片２１ｂ内に剛性維持材料２３を内設する代わりに、図４Ａ及び図４Ｂに示すように、高硬度ウレタンのスペーサ３５を配設しても良い。このようなスペーサ３５により、光センサ３０の位置と表示パネル１１との位置の距離を安定して保つことができる。
【００２３】
カバー２０は、折曲部２２ｃ及び２２ｄで折曲され、取付片２５ａ及び２５ｂの位置を表示装置本体１０の上縁及び背面に接触させた状態で、表示装置本体１０に固定される。カバー２０の取付片２５ａ及び２５ｂと表示装置本体１０との固定には、両面テープや面ファスナを用いても良いし、マグネットを用いても良い。また、コネクタ４０は、表示装置本体１０の端子５０（図５参照）と接続される。
【００２４】
上述のように、カバー２０は、３枚のカバー片２１ａ、２１ｂ、２１ｃを折曲部２２ａ、２２ｂを介して連結した構造となっており、折曲部２２ａ、２２ｂの部分から折曲自在となっている。図１Ａに示すように、モニタ使用時には、カバー２０は、折曲部２２ａ、２２ｂの部分で折り畳まれ、表示装置本体１０の背面に保持される。この状態では、表示パネル１１の表示面は外部に露呈されるため、利用者は、表示パネル１１に画像を表示して、表示画面を視認することができる。また、カバー２０は、表示装置本体１０の背面に保持されるため、利用者の使用の妨げにならない。
【００２５】
モニタ不使用時には、図１Ｂに示すように、３枚のカバー片２１ａ、２１ｂ、２１ｃが広げられ、カバー２０により表示パネル１１の表示面の全面が覆われる。このとき、カバー片２１ａ、２１ｂ、２１ｃのマグネット２６は、ベゼル１２のマグネット吸着材料１３に吸着する。これにより、カバー２０が表示パネル１１の表示面上に密着して固定される。このため、表示パネル１１の表示面はカバー２０により遮光され、表示パネル１１上には、外部からの光は殆ど入らない。すなわち、表示パネル１１の表示面の前面をカバー２０により遮光することで、直接光や表面反射光のみならず、パネル面から侵入し、内部で反射して侵入する外光についても遮光される。なお、この例では、カバー２０を表示パネル１１に固定するのにマグネットを用いているが、面ファスナー等を用いて、カバー２０を表示パネル１１に固定しても良い。
【００２６】
このように、表示パネル１１の表示面の全面がカバー２０により覆われている状態で、光センサ３０を使って表示装置本体１０の画面状態が計測され、校正動作が行われる。この校正動作は、設定されたタイムスケジュールに従って、実行することが可能である。
【００２７】
次に、表示装置本体１０の内部構成について説明する。図５は、本発明の第１の実施形態に係る表示装置本体１０の内部構成を示すブロック図である。なお、ここでは、表示装置本体１０の内部構成の中で、画面校正機能１９に関わる部分についてのみ説明する。
【００２８】
図５に示すように、表示装置本体１０は、表示パネル１１と、表示操作・入力部１６と、時間管理・命令部５１と、バックライトユニット５２と、バックライト（ＢＬ）制御部５３と、階調制御部５４と、映像信号生成部５５と、画像制御部５６と、記憶部５７と、信号制御部５８とを有している。
【００２９】
時間管理・命令部５１は、表示操作・入力部１６からの入力に基いて、校正処理を行うタイムスケジュールを設定する。
【００３０】
バックライトユニット５２は、表示パネル１１の背面から、表示パネル１１にバックライトを照射する。バックライト制御部５３は、バックライトユニット５２を駆動し、バックライトユニット５２から表示パネル１１に照射されるバックライトの輝度を制御する。
【００３１】
階調制御部５４は、表示パネル１１に表示する画像の階調を制御する。映像信号生成部５５は、モニタの輝度校正を行う際の映像を生成する。画像制御部５６は、バックライト制御部５３、階調制御部５４、及び映像信号生成部５５に制御信号を供給し、画面の輝度や階調を制御する。
【００３２】
記憶部５７は、バックライトの光量及び階調に関する補正調整値を記憶している。信号制御部５８は、記憶部５７から補正調整値と、コネクタ４０、端子５０を介して送られてくる光センサ３０の検出値を用いて、バックライトや階調の制御処理を行う。
【００３３】
校正動作を開始するに先立ち、使用者は、校正開始時刻の設定を行う。校正開始時刻の設定を行う際には、使用者は、カバー２０を表示パネル１１の表示面から外し、表示装置本体１０を、図１Ａに示すようなモニタ使用状態にしておく。そして、使用者は、表示操作・入力部１６を操作し、時間管理・命令部５９に校正開始時刻を設定する。その後、使用者は、図１Ｂに示すように、カバー２０で表示パネル１１を覆い、表示装置本体１０をモニタ不使用状態にする。
【００３４】
時間管理・命令部５１は、指定された校正開始時刻になったか否かを判定する。そして、時間管理・命令部５１は、校正開始時刻になったと判定すると、校正開始信号を信号制御部５８に送る。
【００３５】
信号制御部５８は、時間管理・命令部５１から校正開始信号を受信すると、記憶部５７から現在の補正調整値（例えばバックライト設定と階調特性と、各階調に対する輝度）を読み出し、この補正調整値を画像制御部５６に送る。
【００３６】
画像制御部５６は、信号制御部５８から補正調整値を受信すると、補正調整値に基づいてバックライトの輝度を設定し、バックライト制御部５３に、この輝度に基づいたバックライト制御信号を送信する。バックライト制御部５３は、このバックライト制御信号に応じた輝度で、バックライトユニット５２を点灯させる。
【００３７】
一方、画像制御部５６は映像信号生成部５５に、画像中央、即ち光センサ３０が検知できる位置に最高階調の映像を生成するように命令する。階調制御部５４は、階調特性に沿って階調制御を行う。映像信号生成部５５からの映像は、階調制御部５４を介して、階調特性が調整されて表示パネル１１に送られ、表示パネル１１に表示される。
【００３８】
表示パネル１１に画像が表示されると、この表示パネル１１の画像の輝度に応じて、光センサ３０から検出値が出力される。光センサ３０の検出値は、コネクタ４０、端子５０を介して、信号制御部５８に送られる。この光センサ３０の輝度の検出値が信号制御部５８で取得される。
【００３９】
信号制御部５８は、記憶部５７から読み出された補正調整値と階調の調整値とに基づいて輝度の目標値を設定し、光センサ３０の輝度検出値と、決定された目標輝度値とを比較する。そして、信号制御部５８は、光センサ３０の輝度検出値と目標輝度値との誤差が予め設定した範囲を超えているか否かを判定する。
【００４０】
光センサ３０の輝度検出値と目標輝度値との誤差が予め設定した範囲を越えている場合、信号制御部５８は、バックライトの設定値を、光センサ３０の輝度検出値と目標輝度値との誤差が小さくなるように変更する。そして、画像制御部５６は変更した値に基づいてバックライトの輝度を設定し、バックライト制御部５３は、この輝度に基づいてバックライトユニット５２を点灯させ、同様の処理を繰り返す。
【００４１】
このような処理を繰り返すことにより、光センサ３０の検出値に相当する輝度値は、目標輝度に近づく。光センサ３０の輝度検出値と目標輝度値との誤差が予め設定した範囲内になったら、信号制御部５８は、このときの補正調整値を記憶部５７に記憶して、処理を終了する。以上の処理により、前回設定したバックライトを点灯させたときの輝度と同様な輝度で、バックライトが点灯されることになり、表示装置本体の輝度が校正される。
【００４２】
なお、上述の説明では、表示パネル１１のバックライトの輝度を校正する例について説明したが、バックライトを一定とし、階調変化に置き換えることで、階調特性の校正も行うことができる。更に輝度や階調をＲＧＢに分けると、色の校正に置き換えることができる。
【００４３】
以上説明したように、本発明の第１の実施形態に係る表示装置では、計測時の外光遮光のため、表示パネル１１の表示面を広く覆うカバー２０が設けられる。このカバー２０の裏面中央（カバー２０を覆ったときに、表示パネル１１の表示面と向き合う面の中央）には、表示パネル１１の表示面と正対するように、光センサ３０が配置される。そして、表示装置本体１０のモニタ不使用時には、表示パネル１１の表示面がカバー２０で覆われ、この間に、設定したタイムスケジュールに従って、光センサ３０を使って、表示装置本体１０の画面状態が計測され、校正動作が行われる。このため、使用者が不在でも、表示装置本体の輝度校正が行える。
【００４４】
また、本実施形態では、カバー２０は、鉄板などの剛性維持材料２３を含んでおり、また、カバー２０は、マグネット２６等により面接触で固定される。このため、外光の侵入を無くし、モニタの姿勢変化、即ち縦横回転やチルト角が変化しても光センサ３０と表示パネル１１の表示面との距離を維持し、且つカバー２０の開閉を容易に行うことができる。剛性維持材料２３を内設する代わりに、スペーサ３５を用いた場合にも、光センサ３０と表示パネル１１の表示面との位置の距離を安定して保つことができる。これにより、外光の影響を受けず、且つモニタの向きや角度によらず、安定した校正が可能となる。
【００４５】
＜第２の実施形態＞
次に、本発明の第２の実施形態について説明する。図６は、本発明の第２の実施形態に係る表示装置のカバー２２０の内側（表示パネル１１の表示面と対向する面）の構成を示している。前述の第１の実施形態では、カバー２０の中心に、１つの光センサ３０を配置している。これに対して、この実施形態では、複数の光センサ、この例では５つの光センサ２３０ａ〜２３０ｅを均等配置している。このように、複数の光センサ２３０ａ〜２３０ｅを配設することで、均一性計測及び補正が可能になる効果がある。
【００４６】
図６に示すように、カバー２２０は、３枚のカバー片２２１ａ、２２１ｂ、２２１ｃを、折曲部２２２ａ、２２２ｂを介して、連結した構造となっている。カバー片２２１ａの長手方向の略両端に光センサ２３０ｂと２３０ｃが配置されている。カバー片２２１ｂの長手方向の略中央に光センサ２３０ａが配置されている。カバー片２２１ｃの長手方向の略両端に光センサ２３０ｄと２３０ｅが配置されている。このように、カバー２２０の内側には、光センサ２３０ａ〜２３０ｅが略均等に配置される。また、カバー２２０の上部には、折曲部２２２ｃ、２２２ｄを介して、取付片２２５ａ及び２２５ｂが設けられる。また、カバー２２０の内側には、周囲を囲むように、マグネット２２６が配設される。
【００４７】
図７は、本発明の第２の実施形態に係る表示装置本体２１０の内部構成を示すブロック図である。図７に示すように、表示装置本体２１０は、表示パネル２１１と、表示操作・入力部２１６と、時間管理・命令部２５１と、バックライトユニット２５２と、バックライト（ＢＬ）制御部２５３と、階調制御部２５４と、映像信号生成部２５５と、画像制御部２５６と、記憶部２５７と、信号制御部２５８とを有している。表示パネル２１１、表示操作・入力部２１６、時間管理・命令部２５１、バックライトユニット２５２、バックライト制御部２５３、階調制御部２５４、映像信号生成部２５５、画像制御部２５６、記憶部２５７、信号制御部２５８は、第１の実施形態における表示パネル１１、表示操作・入力部１６、時間管理・命令部５１、バックライトユニット５２、バックライト制御部５３、階調制御部５４、映像信号生成部５５、画像制御部５６、記憶部５７、信号制御部５８と同様である。
【００４８】
本実施形態では、表示パネル２１１の全面がカバー２２０により覆われている状態で、校正動作が行われる。このとき、本実施形態では、複数の光センサ２３０ａ〜２３０ｅの検出値を用いることで、均一性計測及び補正が可能になる。
【００４９】
すなわち、表示パネル２１１に画像が表示されると、この表示パネル２１１の画像の輝度に応じて、光センサ２３０ａ〜２３０ｅから検出値が出力される。光センサ２３０ａ〜２３０ｅの検出値は、コネクタ２４０、端子２５０を介して、信号制御部２５８に送られる。
【００５０】
信号制御部２５８は、記憶部２５７から読み出された補正調整値と階調の調整値とに基づいて輝度の目標値を設定し、光センサ２３０ａ〜２３０ｅの輝度検出値と、決定された目標輝度値とを比較する。そして、信号制御部２５８は、光センサ２３０ａ〜２３０ｅの輝度検出値と目標輝度値との誤差が予め設定した範囲を超えているか否かを判定する。光センサ２３０ａ〜２３０ｅの輝度検出値と目標輝度値との誤差が予め設定した範囲を越えている場合、信号制御部２５８は、バックライトの設定値を、光センサ２３０ａ〜２３０ｅの輝度検出値と目標輝度値との誤差が小さくなるように変更する。そして、画像制御部２５６は変更した値に基づいてバックライトの輝度を設定し、バックライト制御部２５３は、この輝度に基づいてバックライトユニット２５２を点灯させ、同様の処理を繰り返す。これらの動作の結果、前の補正調節値に対して各部階調設定が変更されるため、表示装置本体の輝度均一性が補正される。
【００５１】
以上のように、本実施形態では、カバー２２０の内側に、複数の光センサ２３０ａ〜２３０ｅが配設される。これら複数の光センサ２３０ａ〜２３０ｅの検出値を用いることで、均一性計測及び補正が可能になる。
【００５２】
＜第３の実施形態＞
次に、本発明の第３の実施形態について説明する。図８は、本発明の第３の実施形態に係る表示装置のカバー３２０の内側（表示パネル１１の表示面と対向する面）の構成を示している。前述の第１の実施形態では、カバー２０からコネクタ４０を導出し、コネクタ４０と端子５０とを接続して、光センサ３０と表示装置本体１０とを電気的に接続している。これに対して、この実施形態では、非接触で、カバー３２０の光センサ３３０と表示装置本体３１０との通信を行うようにしている。
【００５３】
図８に示すように、カバー３２０は、３枚のカバー片３２１ａ、３２１ｂ、３２１ｃを、折曲部３２２ａ、３２２ｂを介して、連結した構造となっている。また、３つのカバー片３２１ａ、３２１ｂ、３２１ｃのうち、その中央のカバー片３２１ｂには、その内側の中央に、光センサ３３０が配置される。また、カバー２０の上部には、折曲部３２２ｃ、３２２ｄを介して、取付片３２５ａ及び３２５ｂが設けられる。また、カバー３２０の内側には、周囲を囲むように、マグネット３２６が配設される。更に、本実施形態では、取付片３２５ｂには、非接触給電の受電部３７１が設けられる。受電部３７１は、光センサ３３０と電気的に接続されている。
【００５４】
図９は、表示装置本体３１０の背面構成を示している。図９に示すように、表示装置本体３１０の背面の上部には、非接触給電の送電部３７２が設けられる。カバー３２０の受電部３７１と表示装置本体３１０の送電部３７２の位置は対応している。カバー３２０は、取付片３２５ａ及び３２５ｂの位置を表示装置本体３１０の上縁及び背面に接触させて固定される。このとき、カバー３２０の受電部３７１は、送電部３７２に対向する。
【００５５】
前述の第１の実施形態では、コネクタ４０を接続して、光センサ３０と表示装置本体１０との通信を行うようにしている。これに対して、本発明の第３の実施形態では、非接触給電の送電部３７２を表示装置本体３１０の背面に設け、これと相対する位置のカバー３２０裏面内に、非接触給電の受電部３７１を配置している。これにより、非接触で、光センサ３３０と表示装置本体３１０との通信を行うことができる。
【００５６】
なお、非接触給電の方式は様々なものが市販されており、いずれを用いても良い。ここでは電磁誘導方式を例とすると、非接触の送電部３７２はコイルで、これに交流電流を流して交番磁界を発生させる。送電部３７２に相対した受電部３７１もコイルになっており、送電部３７２の交番磁界によって受電部３７１に誘導電流が流れて電力を伝える。これを整流することで直流電源を得て光センサ３３０の電源に利用している。
【００５７】
なお、非接触通信にも様々な方式があり、いずれを用いても良い。例としてはＲＦＩＤ(Radio Frequency Identification)があり、ＩＥＣ１０５３６で規格化された通信方式がある。その中でも複数の方式があるが、電磁誘導は前記非接触給電と同様の動作によって信号伝達ができ、本体側からの命令に従って光センサ値を読むことができる。尚、非接触通信方式には電力伝送機能を備えたものもあり、これを採用した場合には、非接触給電の送電部３７２と受電部３７１さえも不要となる。
【００５８】
以上のように、本実施形態では、コネクタが不要となるため、カバー装着時の配線作業が不要となる。非接触給電及び非接触通信には、送受電又は送受信のアンテナ配線パターンのために比較的広い面積が必要である。本実施形態では、非接触通信を用いることで、カバー背面スペースを有効活用できる。
【００５９】
＜第４の実施形態＞
次に、本発明の第４の実施形態について説明する。図１０は、本発明の第４の実施形態に係る表示装置のカバー４２０の内側（表示パネル１１の表示面と対向する面）の構成を示している。前述の第１の実施形態では、カバー２０からコネクタ４０を導出し、コネクタ４０と端子５０とを接続して、光センサ３０と表示装置本体１０とを電気的に接続している。これに対して、この実施形態では、光通信により、カバー４２０の光センサ４３０と表示装置本体４１０とを非接触で通信を行うようにしている。
【００６０】
図１０に示すように、カバー４２０は、３枚のカバー片４２１ａ、４２１ｂ、４２１ｃを、折曲部４２２ａ、４２２ｂを介して、連結した構造となっている。また、３つのカバー片４２１ａ、４２１ｂ、４２１ｃのうち、その中央のカバー片４２１ｂには、その内側の中央に、光センサ４３０が配置される。更に、カバー４２０の内側には、太陽電池パネル４７１が設けられる。なお、太陽電池パネル４７１は、暗部計測に影響しないよう、その周囲には遮光物４７２が設けられ、且つ、太陽電池パネル４７１は、光センサ４３０から離れた位置に配置される。なお、この例では、４つの太陽電池パネル４７１を配設しているが、太陽電池パネル４７１の個数は、任意である。また、カバー４２０の上部には、折曲部４２２ｃ、４２２ｄを介して、取付片４２５ａ及び４２５ｂが設けられる。また、カバー４２０の内側には、周囲を囲むように、マグネット４２６が配設される。更に、本実施形態では、カバー４２０の下縁には、通信用の光センサ４８１とＬＥＤ（Light Emitting Diode）４８２が設けられる。
【００６１】
図１１は、本発明の第４の実施形態に係る表示装置本体４１０の前面の構成を示している。図１１に示すように、表示装置本体４１０は、表示パネル４１１を有している。また、表示装置本体４１０には、表示操作・入力部４１６が配設されている。また、表示装置本体４１０のベゼル４１２には、表示パネル４１１を囲むように、マグネット吸着材料４１３が配設される。表示装置本体４１０の上縁には、カバー４２０が取り付けられる。更に、本実施形態では、表示パネル４１１の下縁には、通信用の光センサ４９１とＬＥＤ４９２が設けられる。
【００６２】
表示装置本体４１０のモニタ不使用時には、カバー４２０により表示パネル４１１の全面が覆われる。このとき、カバー４２０の下縁の光センサ４８１及びＬＥＤ４８２と、表示装置本体４１０の下縁のＬＥＤ４９２及び光センサ４９１とが対向する。これにより、光センサ４３０と表示装置本体４１０とを非接触で通信を行うことができる。また、表示パネル４１１を駆動することで、表示パネル４１１が発する光により太陽電池パネル４７１が発電する。この電源は、光センサ４３０を駆動するのに利用される。
【００６３】
図１２は、表示装置本体４１０の内部構成を示すブロック図である。図１２に示すように、表示装置本体４１０は、表示パネル４１１と、表示操作・入力部４１６と、時間管理・命令部４５１と、バックライトユニット４５２と、バックライト（ＢＬ）制御部４５３と、階調制御部４５４と、映像信号生成部４５５と、画像制御部４５６と、記憶部４５７と、信号制御部４５８とを有している。表示パネル４１１、表示操作・入力部４１６、時間管理・命令部４５１、バックライトユニット４５２、バックライト制御部４５３、階調制御部４５４、映像信号生成部４５５、画像制御部４５６、記憶部４５７、信号制御部４５８は、第１の実施形態における表示パネル１１、表示操作・入力部１６、時間管理・命令部５１、バックライトユニット５２、バックライト制御部５３、階調制御部５４、映像信号生成部５５、画像制御部５６、記憶部５７、信号制御部５８と同様である。更に、本実施形態では、表示装置本体１０に、通信用の光センサ４９１及びＬＥＤ４９２と、送受制御部４９３とが設けられる。
【００６４】
一方、カバー４２０には、光センサ４３０と、太陽電池パネル４７１と、通信用の光センサ４８１及びＬＥＤ４８２と、送受制御部４８３とが設けられる。カバー４２０により表示パネル４１１の全面を覆った状態では、表示装置本体４１０の光センサ４９１及びＬＥＤ４９２と、カバー４２０のＬＥＤ４８２及び光センサ４８１とが対向する。
【００６５】
校正開始時刻には、信号制御部４５８から校正開始信号が送信される。この校正開始信号は、信号制御部４５８から送受制御部４９３に送られる。送受制御部４９３により、この校正開始信号が光変調されて、ＬＥＤ４９２から出力される。ＬＥＤ４９２の出力光は、カバー４２０側の光センサ４８１で受光され、送受制御部４８３で復調される。これにより、光センサ４３０から、検出信号が出力される。
【００６６】
また、カバー４２０から表示装置本体４１０に、光センサ４３０の検出信号を送信する場合には、光センサ４３０の検出信号が送受制御部４８３に供給される。
送受制御部４８３により、光センサ４３０の検出信号が光変調されて、ＬＥＤ４８２から出力される。ＬＥＤ４８２の出力光は、表示装置本体４１０側の光センサ４９１で受信され、送受制御部４９３で復調され、信号制御部４５８に送られる。
【００６７】
また、本実施形態では、カバー４２０に太陽電池パネル４７１が設けられている。カバー４２０により表示パネル４１１の全面を覆った状態で、表示パネル４１１を作動させると、表示パネル４１１が発する光により、太陽電池パネル４７１は発電する。この太陽電池パネル４７１は、光センサ４３０、送受制御部４８３、ＬＥＤ４８２、光センサ４８１の電源として利用される。
【００６８】
以上のように、本実施形態では、コネクタが不要となるため、カバー装着時の配線作業が不要となる。また、太陽電池パネル４７１を配設することで、カバー４２０側に、電池等を設ける必要がなくなる。
【００６９】
＜第５の実施形態＞
次に、本発明の第５の実施形態について説明する。図１３は、本発明の第５の実施形態に係る表示装置のカバー５２０の内側（表示パネル１１の表示面と対向する面）の構成を示している。図１４Ａ及び図１４Ｂは、カバー５２０を表示装置本体５１０に取り付けたときの状態を示している。
【００７０】
図１３に示すように、本発明の第５の実施形態に係るカバー５２０は、３枚のカバー片５２１ａ、５２１ｂ、５２１ｃを、折曲部５２２ａ、５２２ｂを介して、連結した構造となっている。また、３つのカバー片５２１ａ、５２１ｂ、５２１ｃのうち、その中央のカバー片５２１ｂには、その内側の中央に、光センサ５３０が配置される。また、カバー５２０の上部には、折曲部５２２ｃ、５２２ｄを介して、取付片５２５ａ及び５２５ｂが設けられる。取付片５２５ｂには、マグネット５２６が配設される。更に、カバー５２０の左側には、折曲部５２２ｅ、５２２ｆを介して、取付片５２７ａ及び５２７ｂが設けられる。カバー５２０の右側には、折曲部５２２ｇ、５２２ｈを介して、取付片５２７ｃ及び５２７ｄが設けられる。左右の両端の取付片５２７ｂ及び５２７ｄには、マグネット５２６が配設される。
【００７１】
前述の第１の実施形態では、ベゼル１２にマグネット吸着材料１３を配設している。これに対して、この第５の実施形態では、図１４Ｂに示すように、表示装置本体５１０の裏側に、マグネット吸着材料５１３を設けている。
【００７２】
カバー５２０を表示装置本体５１０に取り付ける際には、図１４Ａに示すように、カバー５２０の左右の取付片５２７ａ及び５２７ｂ、取付片５２７ｃ及び５２７ｄにより、表示装置本体５１０を左右から挟むようにしてカバー５２０が取り付けられる。そして、カバー５２０の両側のマグネット５２６と、表示装置本体５１０の裏側のマグネット吸着材料５１３とが吸着され、カバー５２０が表示装置本体５１０に固定される。
【００７３】
以上説明したように、本発明の第５の実施形態では、カバー５２０の左右の取付片５２７ａ及び５２７ｂ、取付片５２７ｃ及び５２７ｄにより、表示装置本体５１０を左右から挟むようにしてカバー５２０を装着し、カバー５２０の両側のマグネット５２６と、表示装置本体５１０の裏側のマグネット吸着材料５１３とを吸着させて固定している。このため、ベゼル幅が小さい表示装置本体又はベゼルが無いものでも、画面を遮光し、画面中央を計測することができる。
【００７４】
なお、本発明の第５の実施形態では、カバー５２０は両側から後方への引っ張り力が働く。このため、図１５Ａ及び図１５Ｂに示すように、スペーサ５３５の面積を大きくとっている。図１５Ａ及び図１５Ｂに示すように、光センサ５３０は、基板５３１上に配置され、カバー片５２１ｂに設けられる。スペーサ５３５は、光センサ５３０の位置と表示パネルとの位置の距離を安定して保つために設けられる。この実施形態では、両側からの力がかかっても光センサ５３０の位置と表示パネルとの位置関係が変わらないように、スペーサ５３５として、大きな面積のものが用いられる。
【００７５】
なお、上述の例では、図１４Ｂに示したように、表示装置本体５１０の裏側にマグネット吸着材料５１３を設け、カバー５２０の左右の両端の取付片５２７ｂ及び５２７ｄにマグネット５２６を設けて、カバー５２０と表示装置本体５１０とをマグネットで固定している。カバー５２０と表示装置本体５１０との固定は、マグネットに限定されるものではない。
【００７６】
図１６Ａ及び図１６Ｂは、面ファスナーを用いて、カバー５２０と表示装置本体５１０とを固定するようにしたものである。また、図１６Ｂは、領域Ｐ１を拡大して示したものである。図１６Ａ及び図１６Ｂにおいて、カバー５２０の左右の両端の取付片５２７ｂ及び５２７ｄには、凸側面ファスナー５７１が設けられる。また、表示装置本体５１０の裏側には、凹側面ファスナー５７２が設けられる。カバー５２０を表示装置本体５１０に取り付ける際には、カバー５２０の左右の取付片５２７ａ及び５２７ｂ、取付片５２７ｃ及び５２７ｄにより、表示装置本体５１０を左右から挟むようにしてカバー５２０が取り付け、カバー５２０の両側の凸側面ファスナー５７１と、表示装置本体５１０の裏側の凹側面ファスナー５７２とを結合して、カバー５２０を表示装置本体５１０に固定する。
【００７７】
また、図１６Ｃに示すように、カバー５２０の左右の両端の取付片５２７ｂ及び５２７ｄに引っ掛けフック５８１を設け、表示装置本体５１０の裏側に突起５８２を設け、カバー５２０の両側の引っ掛けフック５８１と、表示装置本体５１０の裏側の突起５８２とを係合して、カバー５２０を表示装置本体５１０に固定しても良い。
【００７８】
マグネットの磁気が他の機器等に影響を及ぼすことが懸念される場合、又はモニタ本体が磁気を用いることができない場合、これらの取り付け方法を採用することで、磁気を用いず画面を遮光し、画面中央を計測することができる。
【００７９】
＜第６の実施形態＞
次に、本発明の第６の実施形態について説明する。図１７Ａ及び図１７Ｂは、本発明の第６の実施形態に係る表示装置の外観構成を示す斜視図である。図１７Ａはモニタ不使用時の状態を示し、図１７Ｂは、モニタ使用時の状態を示している。
【００８０】
カバー６２０は、３枚のカバー片６２１ａ、６２１ｂ、６２１ｃを、折曲部６２２ａ、６２２ｂを介して、連結した構造となっている。カバー片６２１ａの内側の中央には、図示せずも、光センサが配置されている。本実施形態では、更に、左右にサイドフード６７１ａ及び６７１ｂを設けている。また、カバー片６２１ａと６２１ｂの長手方向を延長するようなスカート部６７２ａ及び６７２ｂを設けている。カバー６２０は、表示装置本体６１０に取り付けられる。
【００８１】
サイドフード６７１ａ及び６７１ｂは補強部６７３ａ及び６７３ｂを備える。補強部６７３ａ及び６７３ｂは、モニタ使用時にカバー片６２１ａ、６２１ｂ、６２１ｃ、並びに、サイドフード６７１ａ及び６７１ｂを開いたときに、これらの自重でサイドフード６７１ａ及び６７１ｂが後方にずれることを防止するために設けられる。また、先端のカバー片６２１ｃは、矢印Ａ１で示すように、内側に折り込む構造として、カバー片６２１ｂ裏面に配置された光センサが隠れるようにしている。
【００８２】
本実施形態では、モニタ使用時にカバー６２０を収納する場所が不要になる。カバー６２０は外光遮光を目的とするものであり、モニタ使用時の本体フードとして利用できる。モニタ使用時にカバー片６２１ｃを内側に折り込む構造により、カバー片６２１ｂの裏面に配置された光センサに光が当たらないこととなるため、紫外線や可視光による材料の劣化を抑制することができる。このため、光センサ計測値がより長期に渡り信頼できることになる。
【００８３】
図１８は、本発明による表示装置の基本構成を示す概略ブロック図である。
本発明による表示装置の基本構成は、図１８に示すとおりである。すなわち、本発明による表示装置は、表示パネル９０１を有する表示装置本体９００と、表示パネル９０１を覆うカバー９０２とからなる。カバー９０２は、その裏面に光センサ９０３を有する。表示装置本体９００は、表示パネル９０１の表示状態を校正する画面校正機能９０４を有する。カバー９０２で表示パネル９０１を覆い表示パネル９０１を遮光した状態で、光センサ９０３で表示パネル９０１の画面状態を計測し、光センサ９０３の計測値を表示装置本体９００に送り、画面校正機能９０４により表示パネル９０１の表示状態を校正する。
【００８４】
本発明は、上述した実施形態に限定されるものではなく、この発明の要旨を逸脱しない範囲内で様々な変形や応用が可能である。
【符号の説明】
【００８５】
１０    表示装置本体
１１    表示パネル
１２    ベゼル
１３    マグネット吸着材料
１９    画面校正機能
２０    カバー
２３    剛性維持材料
２６    マグネット
３０    光センサ
３５    スペーサ
【図１Ａ】
0006639002.tif 000002
【図１Ｂ】
0006639002.tif 000003
【図２】
0006639002.tif 000004
【図３Ａ】
0006639002.tif 000005
【図３Ｂ】
0006639002.tif 000006
【図４Ａ】
0006639002.tif 000007
【図４Ｂ】
0006639002.tif 000008
【図５】
0006639002.tif 000009
【図６】
0006639002.tif 000010
【図７】
0006639002.tif 000011
【図８】
0006639002.tif 000012
【図９】
0006639002.tif 000013
【図１０】
0006639002.tif 000014
【図１１】
0006639002.tif 000015
【図１２】
0006639002.tif 000016
【図１３】
0006639002.tif 000017
【図１４Ａ】
0006639002.tif 000018
【図１４Ｂ】
0006639002.tif 000019
【図１５Ａ】
0006639002.tif 000020
【図１５Ｂ】
0006639002.tif 000021
【図１６Ａ】
0006639002.tif 000022
【図１６Ｂ】
0006639002.tif 000023
【図１６Ｃ】
0006639002.tif 000024
【図１７Ａ】
0006639002.tif 000025
【図１７Ｂ】
0006639002.tif 000026
【図１８】
0006639002.tif 000027